(57)【特許請求の範囲】
【請求項１】
相互に隣接する有天井エリア及び無天井エリアを壁で囲んであり、
前記壁に囲まれた空間は、屋外に該当するように、その一部である前記有天井エリアのみに天井を設けてあり、
前記有天井エリアには、スクリーン及びこのスクリーンに映像を投射するためのプロジェクターを設け、
前記有天井エリアと前記無天井エリアとの境界に、前記有天井エリアと前記無天井エリアとを区画する壁、窓又は戸を設けることなく、天井付近から床付近にまで延び、前記有天井エリアと前記無天井エリアとを区画する一又は複数のシート状体を交換可能に設け、
前記スクリーンは、前記有天井エリアにおいて前記境界と対向する壁面に配してあり、
前記境界及び前記壁面は、平面視において相互に略平行に延び、
前記無天井エリアから前記スクリーンを視認可能とするために、前記一又は複数のシート状体の少なくとも一部に透明部を設けてある建物。
【請求項２】
前記無天井エリアに風呂を設けた請求項１に記載の建物。
【発明の詳細な説明】
【技術分野】
【０００１】
本発明は、例えば、映像鑑賞を楽しむことのできる屋外スペースを有する建物に関する。
【背景技術】
【０００２】
本出願人らは、世界中のリゾート地を訪れ、経験したその空間の美しさ、過ごした時間の快適さや楽しさから、日本の住まいやライフスタイルに「リゾート空間」を取り入れたいと強く感じるようになり、その実現に資する商品開発に勤しんできた。具体的には、リゾートに必要な要素は「外」を楽しむことだと考え、住宅の屋上や庭等の屋外スペースの有効活用に心血を注いできた。
【発明の概要】
【発明が解決しようとする課題】
【０００３】
その一環として、映像を投射するためのプロジェクター等を屋外スペースに設けることを検討した際、屋外スペースでの映像鑑賞をいつでも楽しめるようにするためには、特に、夏季における日差しや虫よけの問題、冬季における防寒や積雪の問題を解決するのが好ましいと考え、鋭意研究の結果、本発明に想到した。
【０００４】
本発明は上述の事柄に留意してなされたもので、その目的は、夏季や冬季でも屋外での映像鑑賞を楽しむことのできる建物を提供することにある。
【課題を解決するための手段】
【０００５】
上記目的を達成するために、本発明に係る建物は、相互に隣接する有天井エリア及び無天井エリアを壁で囲んであり、前記壁に囲まれた空間は、屋外に該当するように、その一部である前記有天井エリアのみに天井を設けてあり、前記有天井エリアには、スクリーン及びこのスクリーンに映像を投射するためのプロジェクターを設け、前記有天井エリアと前記無天井エリアとの境界に、前記有天井エリアと前記無天井エリアとを区画する壁、窓又は戸を設けることなく、天井付近から床付近にまで延び、前記有天井エリアと前記無天井エリアとを区画する一又は複数のシート状体を交換可能に設け、前記スクリーンは、前記有天井エリアにおいて前記境界と対向する壁面に配してあり、前記境界及び前記壁面は、平面視において相互に略平行に延び、前記無天井エリアから前記スクリーンを視認可能とするために、前記一又は複数のシート状体の少なくとも一部に透明部を設けてある（請求項１）。
【０００６】
【０００７】
上記建物において、前記無天井エリアに風呂を設けてもよい（請求項２）。
【発明の効果】
【０００８】
本願発明では、夏季や冬季でも屋外での映像鑑賞を楽しむことのできる建物が得られる。
【０００９】
すなわち、本願の各請求項に係る発明の建物では、境界にシート状体を設けるのであり、例えば夏季には、シート状体として、風を通すが蚊等の虫を通さず、かつ、幾らかの遮光機能を有するメッシュ生地のシェード等を用いれば、虫を通さないメッシュ生地により虫よけ効果が得られる上、メッシュ生地の目合いによる風通しの確保と日よけに直結する遮光機能とが相まって有天井エリアの昇温低減効果が得られるので、有天井エリアの快適性の向上を図ることができる。しかも、上記遮光機能を高めると、有天井エリアを暗くして、スクリーンに投射される映像の視認性を高めることも容易となるので、より快適な映像鑑賞に資することにも繋がる。
【００１０】
また、例えば冬季には、風や雪を通さない防風・防水性を有する透明なビニールシート等をシート状体として用いれば、その防風効果と透明性によりビニールハウスのように温室効果が得られて有天井エリアの保温性が高まる上、雪除け効果により有天井エリアへの積雪が防止されるので、有天井エリアの快適性の向上を図ることができる。ただし、この場合、上述のようにスクリーンに投射される映像の視認性を高めることを容易にするといった目的で、シート状体を透明にせずに遮光機能を有するようにすることも考えられる。
【００１１】
請求項１に係る発明の建物では、無天井エリアにおいても映像鑑賞を楽しむことができ、ひいては無天井エリアの利用価値を高めることが可能となる。
【００１２】
請求項２に係る発明の建物では、無天井エリアに風呂を設けることにより、無天井エリアの利用価値を一層高めることが可能となる。
【００１３】
その上、有天井エリア内に風呂を設けると入浴時等に有天井エリアが高湿度になり、同じく有天井エリアにあるスクリーン及びプロジェクターがその湿気の影響を受け易いが、無天井エリアにスクリーン及びプロジェクターを設ける本発明の建物では、外部に開放されている無天井エリアは高湿度になり難いので、風呂に起因する湿気の影響を低減することができ、結露対策を講じなくてよい分、スクリーン及びプロジェクター等の設備の簡素化を図ることも可能となる。しかも、請求項１に記載のように、無天井エリアから有天井エリア内のスクリーンを視認可能とするために、一又は複数のシート状体の少なくとも一部に透明部を設ければ、風呂に浸かりながらスクリーンの映像鑑賞を楽しむことも可能となる。
【図面の簡単な説明】
【００１４】
【図１】本発明の一実施の形態に係る建物の要部の構成を概略的に示す説明図である。
【発明を実施するための形態】
【００１５】
本発明の実施の形態について以下に説明する。
【００１６】
本例の建物は、図１に示すように、相互に隣接する有天井エリア１及び無天井エリア２を壁３（３ａ〜３ｄ）で囲んだ部分を有し、有天井エリア１には、スクリーン４及びこのスクリーン４に映像を投射するためのプロジェクター５を設け、有天井エリア１と無天井エリア２との境界Ｂに、天井付近から床付近にまで延び、有天井エリア１と無天井エリア２とを区画する一又は複数のシート状体６を設けてある。
【００１７】
有天井エリア１には天井７が有るが、無天井エリア２には天井がない。そのため、無天井エリア２の上方は大気に開放され、例えば降雨時には無天井エリア２に雨が降り注ぐことになる。なお、図示例では、両エリア１，２をほぼ同じ広さの平面視矩形状のエリアとしてあるが、広さを適宜変えてもよいし、平面視形状を矩形状以外の形状としてもよい。
【００１８】
有天井エリア１において、境界Ｂに対向する壁３ａにスクリーン４を配してあり、天井７の境界Ｂ付近にプロジェクター５を収容したボックス（プロジェクター５の保持手段の一例）８を配してある。
【００１９】
ボックス８は、例えば直方体その他の多角柱や円柱等の箱状を呈し、ボックス８内部に収容したプロジェクター５が映像をスクリーン４に投射するのを阻害しないように構成されているものとすることができ、その素材には耐候性を有するものを用いることが好ましい。なお、図示例では、ボックス８を天井７の下面に設置してあるが、プロジェクター５ないしボックス８の設置位置は任意に定めればよく、壁面（壁３ｂ、３ｃの内面）や床面等に直接ボックス８を設置してもよいし、壁面に設けた棚等や床上に載置した台等にプロジェクター５ないしボックス８を載置する等してもよい。
【００２０】
ここで、スクリーン４やプロジェクター５を無天井エリア２に設けると、直射日光や風雨等によってダメージを受け易いが、本例では、スクリーン４及びプロジェクター５を有天井エリア１に設けることにより、そうしたダメージを防ぐことができる。しかも、スクリーン４は有天井エリア１において境界Ｂから離れ直射日光があたりにくい壁３ａに設けてあり、プロジェクター５はボックス８で覆ってあるので、スクリーン４及びプロジェクター５は上記ダメージをより受け難くなっている。
【００２１】
ところで、一般に、一部のみに天井を設けてある空間は屋外とされており、本例の壁３に囲まれた空間は、その一部（有天井エリア１）のみに天井７を設けてあるので屋外に該当する。そして、本例の建物では、有天井エリア１に設けたスクリーン４やプロジェクター５を用いることにより、屋外での映像鑑賞が可能となる。
【００２２】
しかも、本例の建物では、境界Ｂにシート状体６を設けるのであり、例えば夏季には、シート状体６として、風を通すが蚊等の虫を通さず、かつ、幾らかの遮光機能を有するメッシュ生地のシェード等を用いれば、虫を通さないメッシュ生地により虫よけ効果が得られる上、メッシュ生地の目合いによる風通しの確保と日よけに直結する遮光機能とが相まって有天井エリア１の昇温低減効果が得られるので、有天井エリア１の快適性の向上を図ることができる。しかも、上記遮光機能を高めると、有天井エリア１を暗くして、スクリーン４に投射される映像の視認性を高めることも容易となるので、より快適な映像鑑賞に資することにも繋がる。
【００２３】
また、例えば冬季には、風や雪を通さない防風・防水性を有する透明なビニールシート等をシート状体６として用いれば、その防風効果と透明性によりビニールハウスのように温室効果が得られて有天井エリア１の保温性が高まる上、雪除け効果により有天井エリア１への積雪が防止されるので、有天井エリア１の快適性の向上を図ることができる。ただし、この場合、上述のようにスクリーン４に投射される映像の視認性を高めることを容易にするといった目的で、シート状体６を透明にせずに遮光機能を有するようにしてもよい。
【００２４】
シート状体６の設置方法は、例えば、天井７の境界Ｂ付近の下面や側面（外面）の適宜の位置に、フック等の係止手段を複数設ける一方、シート状体６の上部に貫通孔等の被係止部を設け、非係止部を係止手段に係止させてシート状体６を吊り下げ保持するようにしてもよいし、シート状体６を付勢手段によりケースに巻き取って格納するロールスクリーン式構造を採用し、ケースを上記適宜の位置に設けるようにしてもよい。また、上記係止手段のかわりに留め具（例えばピンチ等の洗濯ばさみ状のもの）を設けてシート状体６の上部を挟持するようにしてもよく、この場合、シート状体６に被係止部を設ける必要がなくなる。さらに、境界Ｂに沿って略水平方向に延びるレールを設け、このレールで係止手段や留め具を移動可能に保持し、係止手段や留め具によって吊り下げ保持したシート状体６をカーテンのように左右に開閉移動させることができるようにしてもよい。いずれにしても、シート状体６を交換可能（単体であるいは上記ケースごと交換可能）としてあることが、少なくとも夏季と冬季で要求される機能の違いに応じたシート状体６を用いることができる点で好ましい。
【００２５】
ただし、一又は複数のシート状体６を、上記適宜の位置に、一列ではなく複数列設け、例えば列ごとにシート状体６の機能を異ならせることにより、季節や気候等に応じて、任意の一列又は複数列のシート状体６を用いる、といったことが可能となるのであり、この場合、シート状体６を季節ごとに交換するといった手間を省くことができる。
【００２６】
特にシート状体６による虫よけ効果、温室効果、雪除け効果等の確実化を図る上では、シート状体６の上方や下方に（複数のシート状体６を境界Ｂに沿って並べて設ける場合には隣り合うシート状体６間にも）、無天井エリア２から有天井エリア１に通じる隙間が生じないようにしてあるのが好ましい。
【００２７】
シート状体６の上方に上記隙間が生じることは、天井７の境界Ｂ付近の側面（外面）からシート状体６を吊り下げたり、天井７の下面に上記ケースを密着させたりすれば回避することができる。シート状体６の下方に上記隙間が生じることは、例えばシート状体６の下端が床面に接触するようにシート状体６を上下に長く構成すれば回避することができる。複数のシート状体６を境界Ｂに沿って並べて設ける場合に隣り合うシート状体６間に上記隙間が生じることは、隣り合うシート状体６どうしを着脱自在な粘着テープ等の適宜の部材で繋ぎ合わせたり、隣り合うシート状体６どうしが若干オーバーラップするように構成し、各シート状体６の左右縁部付近（オーバーラップ部分）にそれぞれ設けた面ファスナーどうしを連結したりすることによって回避することができる。
【００２８】
無天井エリア２から有天井エリア１内のスクリーン４を視認可能とするために、一又は複数のシート状体６の少なくとも一部に透明部を設けてあるのが好ましい。この場合、無天井エリア２においても映像鑑賞を楽しむことができ、ひいては無天井エリア２の利用価値を高めることが可能となる。
【００２９】
具体的には、境界Ｂに沿って３枚のシート状体６を並べて設ける場合には、中央の１枚のシート状体６は常に透明シート（例えばビニールシート）とし、左右２枚のシート状体６は季節に応じて変える（夏季はメッシュ生地シート、冬季は透明シートにする）ことが考えられる。そして、シート状体６が３枚から４枚に増えた場合には、中央の２枚のシート状体６を常に透明シートとすればよく、５枚以上に増えた場合は、中央側の任意の枚数のシート状体６を常に透明シートとし、左右両側の任意の枚数のシート状体６を季節に応じて変えればよい。あるいは、中央の１枚ないし中央側の任意の枚数のシート状体６を不透明シートで構成し、その一部に透明部（透明ビニールシート部分等）を設けるようにしてもよい。
【００３０】
本例の建物では、無天井エリア２に気泡発生装置付き浴槽であるジェットバス（風呂ないし浴槽の一例）９を設けてあり、これにより、無天井エリア２の利用価値を一層高めることが可能となる。
【００３１】
その上、有天井エリア１内に風呂（ジェットバス９）を設けると入浴時等に有天井エリア１が高湿度になり、同じく有天井エリア１にあるスクリーン４及びプロジェクター５がその湿気の影響を受け易いが、無天井エリア２にスクリーン４及びプロジェクター５を設ける本例の建物では、外部に開放されている無天井エリア２は高湿度になり難いので、ジェットバス９に起因する湿気の影響を低減することができ、結露対策を講じなくてよい分、スクリーン４及びプロジェクター５等の設備の簡素化を図ることも可能となる。しかも、上述のように、無天井エリア２から有天井エリア１内のスクリーン４を視認可能とするために、一又は複数のシート状体６の少なくとも一部に透明部を設ければ、ジェットバス９に浸かりながらスクリーン４の映像鑑賞を楽しむことも可能となる。
【００３２】
少なくとも有天井エリア１、無天井エリア２の何れか一方に出入り可能な出入り口（扉、窓等）が必要であり、図面の複雑化を避けるため、図１には、無天井エリア２に出入り可能な出入り口１０を示し、有天井エリア１に出入り可能な出入り口を示していないが、本例の建物では、有天井エリア１にも出入り可能な出入り口を設けてある。しかし、有天井エリア１と無天井エリア２との間はシート状体６をまくり上げる等すれば行き来可能であるので、必ずしも有天井エリア１、無天井エリア２のそれぞれに出入り口を設ける必要はない。また、出入り口は、建物の外部に繋がっていても内部に繋がっていてもよい。
【００３３】
上記の各構成要素１〜１０は、上記効果を奏することを考慮してそれぞれ公知の構成のものを採用可能である。
【００３４】
例えば、スクリーン４は、天井吊り下げ式、壁掛け式、床面に据え置き式等のいずれの型式のものでもよく、ロール状に巻き上げ可能であってもなくてもよい。また、建物の例えば白色系の外壁面をスクリーン４として用いるようにしてもよい。
【００３５】
プロジェクター５は、例えば天井７の下面に設けたコンセントに電源コードが接続され、商用電源で駆動するタイプのものとすることが考えられる。また、プロジェクター５は、ＤＶＤプレーヤー等の機器を内蔵していてもよいし、外部接続されるものでもよく、例えばプロジェクター５にテレビチューナーを接続し、テレビ放送の映像をスクリーン４に投射するようにしてもよい。
【００３６】
なお、本発明は、上記の実施の形態に何ら限定されず、本発明の要旨を逸脱しない範囲において種々に変形して実施し得ることは勿論である。例えば、以下のような変形例を挙げることができる。
【００３７】
プロジェクター５を保持する保持手段は、軒下にある天井、壁、床の何れかのみに設けられているものに限られず、天井と壁とにわたって、壁と床とにわたって、あるいは床から天井にわたって設けられていてもよい。また、保持手段は、プロジェクター５の不使用時には、軒下にある天井、壁や床の内部にプロジェクター５ごと収納できるように出入自在に構成されていてもよい。
【００３８】
本明細書で挙げた変形例どうしを適宜組み合わせてもよいことはいうまでもない。
【符号の説明】
【００３９】
１    有天井エリア
２    無天井エリア
３    壁（３ａ〜３ｄ）
４    スクリーン
５    プロジェクター
６    シート状体
７    天井
８    ボックス
９    ジェットバス（風呂）
１０    出入り口
Ｂ    境界
【要約】
【課題】夏季や冬季でも屋外での映像鑑賞を楽しむことのできる建物を提供すること。
【解決手段】相互に隣接する有天井エリア１及び無天井エリア２を壁３で囲んであり、前記有天井エリア１には、スクリーン４及びこのスクリーン４に映像を投射するためのプロジェクター５を設け、前記有天井エリア１と前記無天井エリア２との境界Ｂに、天井７付近から床付近にまで延び、前記有天井エリア１と前記無天井エリア２とを区画する一又は複数のシート状体６を設けた。
【選択図】図１【図１】
0006901077.tif 000002